(57)【要約】【課題】土地の値段が高く、充分な墓地スペースを確保できない都市部でも、多数の墓所を設営でき、参拝に際しても快適な参拝状況を確保可能な十分な参拝効率とを同時に実現すると共に、参拝者に自分の家の墓にお参りする実感、気分を与えることができる墓参システムを提供する。【解決手段】寺院システム１として、厨子７を収納ラック４に自動的に収納したり取り出す全自動収納システムと、遺影、戒名、没年、その他契約者が希望した写真や動画等の映像を映し出すディスプレー５を有する参拝ブース６とからなり、前記全自動収納システムにより取り出された厨子７を収納するものとして墓石９を前記ディスプレー５と組合せて参拝ブース６に設け、前記寺院システム１を複数組み合わせ、それぞれの寺院システム１は寺院サーバ２を有してセンタサーバ３に対してデータ配信の往来が可能に接続され、各寺院システム１は収納ラック４の厨子が規格化されて相互に移転可能である。【選択図】        図１
2007262709.tif 000002
【特許請求の範囲】
【請求項１】
１寺院システムとして、厨子を収納ラックに自動的に収納したり取り出す全自動収納システムと、遺影、戒名、没年、その他契約者が希望した写真や動画等の映像を映し出すディスプレーとを有する参拝ブースとからなり、厨子は側面に家名等を彫り込む石版を取り付けた箱体内部に骨壺を納めたものであり、前記全自動収納システムにより取り出された厨子を収納するものとして前記石版部分が顕出される窓部を設けた墓石を前記ディスプレーと組合せて参拝ブースに設け、さらに、前記１寺院システムをグループ寺院として複数組み合わせ、それぞれの寺院システムは寺院サーバを有してセンタサーバに対してデータ配信の往来が可能に接続され、各寺院システムは収納ラックの厨子が規格化されて相互に移転可能であることを特徴とした墓参システム。
【請求項２】
各寺院システムは収納ラックの厨子が移転された場合には、センタサーバ側で移転処理として、センタサーバのデータベース上の寺院コードが変更され、同時に移転元寺院の寺院サーバへデータ削除指示を行い、移転先寺院の寺院サーバでは登録指示が送られ、厨子を運び出した後取り出し完了を寺院サーバへ寺院ターミナルもしくはブースターミナルより知らせることにより、当該寺院サーバ内のデータが削除されることを特徴とする請求項１記載の墓参システム。
【請求項３】
参拝ブースは仕切りなどで区切られ、ブース内または近傍に用意されたＩＤカードリーダを備え、ＩＤカードリーダにＩＤカードを挿入またはタッチパネルなどでＩＤを入力することで参拝対象を識別し、遺骨を納めた厨子を搬送する請求項１または請求項２記載の墓参システム。
【発明の詳細な説明】
【技術分野】
【０００１】
本発明は、墓参システムに係るもので、お寺、霊園あるいは葬祭場に建立されている納骨堂等に設置される集合型の納骨壇を利用した墓参システムに関するものである。
【背景技術】
【０００２】
従来、納骨堂内のスペースを有効利用する例として、多段ロッカー式の集合型納骨壇を設置し、各集合型納骨壇の前に参拝スペースを確保した納骨堂がある。この構造によると、納骨堂内のスペースを立体的に有効利用できる。
【０００３】
別の例として、下記特許文献１には、納骨堂内には納骨エリアとは別に参拝エリアを設け、納骨エリア内には多段式の棚を設置して、各棚に納骨箱等を保管し、自走式の搬送台車により、納骨エリアで所望の納骨箱を取り出し、参拝エリアまで搬送する方式の納骨堂もある。この構造によると、参拝エリアを納骨エリアと別にしているので、納骨堂内を立体的及び平面的にも有効利用することができる。
【特許文献１】特開平２０００−３１００６２号公報
【０００４】
また、下記特許文献２には、限られたスペースの納骨堂内に、各飾り壇毎に参拝スペースを確保しながら、多くの遺骨を収納できるようにした自動搬送式納骨壇として、前面に参拝口を有する本体ケース内に、複数のラック及び該ラックを本体ケース内で周回させる無端式搬送機構を配置し、各ラックには遺骨を納めるための厨子等の飾り壇をそれぞれ設置し、無端式搬送機構を駆動制御することにより、各ラックを搬送経路に沿って移動し、目的の飾り壇が設置されたラックを参拝口の位置に停止できるようにしたものが提案されている。
【特許文献２】特開２００３−２２７２４６号公報
【０００５】
さらに下記特許文献３では、骨壷を立体式に納めた納骨堂からコンピュータで制御する搬送手段によりＩＤ番号に応じた骨壷を選択して礼拝堂の祭壇まで搬出し、礼拝後は上記搬送手段により納骨堂に骨壷を搬送する立体式の自動墓所において、上記祭壇の参拝者と対向する位置に、上記骨壷に納骨されている故人を偲ぶ事項の表示手段を設けるものが提案されている。
【特許文献３】特開平１０−１１５１２５号公報
【発明の開示】
【発明が解決しようとする課題】
【０００６】
前記の多段ロッカー式構造では、段数を多くして収納量を増やそうとしても、参拝者に対して上段側あるいは下段側の棚の納骨箱は不自然な高さに位置し、お供え等を置きにくくなると共に、自然な姿勢で拝みにくくなる。
【０００７】
前記特許文献１の自走式台車による搬送式では、納骨堂全域に渡る搬送装置を設置しなければならず、搬送装置が大掛かりなものになると共に、コストが高くつく。
【０００８】
前記特許文献２の無端式搬送機構によるラック式の納骨堂では、限られたスペースの納骨堂内に各納骨壇毎の参拝スペースを確保しながらも、立体的かつ平面的に納骨堂内を有効利用することができるが、一台のラックでは収納に限界があるので、遺骨収納量の数を増やすためにはラックの台数を増やすことになり、無端式搬送機構での搬送制御も複雑なものなる。しかも、ラックにより多数の遺骨が近くまで運ばれてくるのが知れるとあまり感じのよいものではない。
【０００９】
前記特許文献３の立体式の自動墓所では、参拝者に自分の家のお墓にお参りする、という気分、実感を与えることができものであるが、納骨堂は、骨壷を収納させるケースを納める区画が上下左右方向に多数形成された棚を複数列備えてなるものであるとはいえ、十分な大きさの納骨堂を設けることができる寺院のみが活用できるものである。
【００１０】
本発明の目的は前記従来例の不都合を解消し、複数の寺院をグループ化して相互利用を図ることで、土地の値段が高く、充分な墓地スペースを確保できない都市部でも、多数の墓所を設営できるよう骨壺等の高い収納効率と参拝に際しても快適な参拝状況を確保可能な十分な参拝効率とを同時に実現すると共に、参拝者に自分の家の墓にお参りする実感、気分を与えることができ、故人を身近に感じた状態でのお墓参りが可能になる墓参システムを提供することにある。
【課題を解決するための手段】
【００１１】
前記目的を達成するため請求項１記載の本発明の墓参システムは、１寺院システムとして、厨子を収納ラックに自動的に収納したり取り出す全自動収納システムと、遺影、戒名、没年、その他契約者が希望した写真や動画等の映像を映し出すディスプレーとを有する参拝ブースとからなり、厨子は側面に家名等を彫り込む石版を取り付けた箱体内部に骨壺を納めたものであり、前記全自動収納システムにより取り出された厨子を収納するものとして前記石版部分が顕出される窓部を設けた墓石を前記ディスプレーと組合せて参拝ブースに設け、さらに、前記１寺院システムをグループ寺院として複数組み合わせ、それぞれの寺院システムは寺院サーバを有してセンタサーバに対してデータ配信の往来が可能に接続され、各寺院システムは収納ラックの厨子が規格化されて相互に移転可能であることを要旨とするものである。
【００１２】
請求項１記載の本発明によれば、まず、自動搬送納骨堂システムを提供するものである。近年墓地確保が難しくなってきているのとあわせ生活習慣の変化などにより個々のニーズに合わせた墓地が要求されるようになってきている。そこで、墓石と遺骨を別体とし遺骨は骨壷ごと遺骨収納厨子と呼ぶ箱に収納し、参拝者が訪れるたび参拝ブースへ自動搬送参拝にすることで墓石や参拝スペースを共有し墓地を低価格で提供することを可能にする。
【００１３】
また、屋内に墓石を設置し墓参に伴う掃除を排除でき、ブースごとに意匠を変更することも可能にすることにより参拝者の国籍人種宗教宗派を間わず幅広い利用を可能にできる。しかも遺骨収納厨子を必要最小限の寸法にすることにより土地の有効活用が見込める。
【００１４】
さらに、ブースに設置してある墓石内に厨子の一面に取り付けた石版を参拝者から見える位置に厨子を納めることで、墓石が完成し参拝が可能になるので、より自分の家の墓にお参りする実感、気分を与えることができる。
【００１５】
また、参拝が可能な状態では墓石近傍に用意された映像装置にて故人の遺影、戒名、その他の映像が表示されるので、参拝者に自分の家の墓にお参りする実感、気分を与えることができ、故人を身近に感じた状態でのお墓参りが可能になる。
【００１６】
さらに、自動搬送納骨堂システムで使用される遺骨収納厨子の規格化により系列システムを導入している納骨堂間の移動を可能にすることで、転居などによって遠距離になり墓参が難しくなるようなことが多くあり、そのために墓地の移転を行なう場合受入墓地が確保しづらい、また費用がかかるなどのことを解消できる。
【００１７】
しかも、センタサーバを置くことによりインターネットを介したユーザからのアクセス（ネット参拝や転居などの登録情報変更）を一元管理することが可能になり遺骨収納厨子の転居も可能になる。また、統括する管理会社により管理費などの一元管理も可能になり設置寺院の省力化も実現する。
【００１８】
請求項２記載の本発明は、各寺院システムは収納ラックの厨子が移転された場合には、センタサーバ側で移転処理として、センタサーバのデータベース上の寺院コードが変更され、同時に移転元寺院の寺院サーバへデータ削除指示を行い、移転先寺院の寺院サーバでは登録指示が送られ、厨子を運び出した後取り出し完了を寺院サーバへ寺院ターミナルもしくはブースターミナルより知らせることにより、当該寺院サーバ内のデータが削除されることを要旨とするものである。
【００１９】
請求項２記載の本発明によれば、収納ラックの厨子が移転された場合の処理を確実に行なうことができる。
【００２０】
請求項３記載の本発明は、参拝ブースは仕切りなどで区切られ、ブース内または近傍に用意されたＩＤカードリーダを備え、ＩＤカードリーダにＩＤカードを挿入またはタッチパネルなどでＩＤを入力することで参拝対象を識別し、遺骨を納めた厨子を搬送することを要旨とするものである。
【００２１】
請求項３記載の本発明によれば、ＩＤカードリーダにＩＤカードを挿入またはタッチパネルなどでＩＤを入力することで、面倒な操作を行なわずに、スムーズな進行が確保できる。
【発明の効果】
【００２２】
以上述べたように本発明の墓参システムは、土地の値段が高く、充分な墓地スペースを確保できない都市部でも、多数の墓所を設営できるよう骨壺等の高い収納効率と参拝に際しても快適な参拝状況を確保可能なものであり、また、参拝者に自分の家の墓にお参りする実感、気分を与えることができ、故人を身近に感じた状態でのお墓参りが可能になるものである。
【発明を実施するための最良の形態】
【００２３】
以下図面について本発明の墓参システムを詳細に説明する。図１は本発明の墓参システムの１実施形態を示す説明図で、本発明は、まず、墓石と遺骨を別体とし遺骨は骨壷ごと遺骨収納厨子と呼ぶ箱に収納、参拝者が訪れるたび参拝ブースへ自動搬送し、これを参拝にする寺院システム１を形成した。
【００２４】
寺院システム１は寺院ごとにデータベース、システム管理サーバである寺院サーバ２を用意し寺院単独でも運用が可能な形態をとり、かつ、統括する管理会社としてのセンタに統括するサーバであるセンタサーバ３を準備して、各寺院システム１をグループ寺院として複数組み合わせ、それぞれの寺院システム１は寺院サーバ２を有してセンタサーバ３に対してデータ配信の往来が可能に接続した。
【００２５】
また、センタサーバ３はユーザとしての檀家・遺族１９や親戚・縁者・友人・知人など２０の端末パソコン１９ａ，２０ａ、携帯端末１９ｂ，２０ｂに対しても接続し、これらに対してネット参拝などインターネット経由でのサービスを行い、かつ、センタサーバ３を置くことによりインターネットを介したユーザからのアクセス（ネット参拝や転居などの登録情報変更）を一元管理する。また、統括する管理会社により管理費などの一元管理も行い、設置寺院の省力化も実現する。
【００２６】
先に寺院システム１について説明する。寺院システム１は厨子を収納ラック４に対して自動的に収納したり取り出す全自動収納システムと、遺影、戒名、没年、その他契約者が希望した写真や動画等の映像を映し出す液晶テレビによるディスプレー５を有する参拝ブース６とからなる。
【００２７】
厨子７を図１０〜図１２に示すと、厨子７は規格化されたもので、必要最小限の大きさとしてのステンレス製の直方体形状の箱体であり、上面にふた７ａをネジ止めして、内部に骨壺を納めることができるものとした。
【００２８】
また、図示は省略するが、側壁面に家名等を彫り込む石版８を受け止める爪を形成してあり、この爪を用いて石版８を側壁面に取り付けた。
【００２９】
参拝ブース６は仕切りなどで区切られた区画として複数並列されるもので、図２に示すように参拝ブース６は前記ディスプレー５の下側に、前記厨子７を納めることができる墓石９を設置した。この墓石９は厨子７を収納した際に前記石版８の部分が顕出される窓部９ａを中央に形成している。
【００３０】
図中１０は花立、１１は棚、１２は引き出しであり、この参拝ブース６はそれぞれ自動ドア１４を備える。図中１３は自動ドア１４のエンジンボックスである。
【００３１】
本実施形態では、参拝ブース６はカウンター１５を設け、前記墓石９はこのカウンター１５の上に位置し、また、ディスプレー５はさらにその上にある。また、棚１１の前端下側にＩＤカードリーダ１６を設けた。前記引き出し１２はカウンター１５の下に形成される。
【００３２】
図４、図５に示すように収納ラック４は建屋内に多数並べまた上下多数段に設置され、その内部に収容される厨子７を自動で取り出して参拝ブース６まで運び、墓石９に収めるベルトコンベア２１，２２，２３が設けられ、これらのベルトコンベア２１，２２，２３はコンピュータ等で自動制御されるものとして、厨子７を収納ラック４に自動的に収納したり取り出す全自動収納システムが形成されている。
【００３３】
なお、このような全自動収納システムについては種々の方法が想定でき、特開２０００−３１００６２号公報にあるような方式を採用することもその１つである。この特開２０００−３１００６２号公報では、例えば２列のスチール製組立ラックであり、２列を一台の収容棚の間には搬送装置として、昇降モータより駆動力を得て収容棚側部に備わる昇降マストを上下行する昇降リトリーバーと、該昇降リトリーバー上にチェーンやローラー等の駆動部を介して設けられ、収容棚ベイ方向に横行自在な横行クラブとが取り付けられており、両者を制御するコンピュータ等の指示により両者連動して円滑な搬送を行なう。
【００３４】
図６は寺院システム１の寺院サーバ２の装置環境を示すもので、この寺院サーバ２にはルータ２５が接続されてあり、また、ブースターミナル１８が接続され、このブースターミナル１８にはタッチパネル１７やカードリーダ１６、ディスプレー５、自動ドア１４が接続される。タッチパネル１７は参拝ブース６内または近傍に置かれ、前記ＩＤカードリーダ１６との併用でＩＤを入力するのに使用される。ブースターミナル１８は参拝ブース６内に設置された機器（カードリーダ１６、タッチパネル１７、ディスプレー５）と接続される。
【００３５】
２６はＶＯＤストレージ、２９はラックコントロールサーバ、２７はルータまたはモデム、２４は寺院ターミナル、２８はレーザープリンタである。ＶＯＤストレージ２６はビデオ配信用のデータを蓄積するもの、ラックコントロールサーバ２９は収納ラック４から厨子７を取り出したりするときに使用する機器の制御を行なうものである。このラックコントロールサーバ２９にブースターミナル１８から寺院サーバ２を経由して厨子の搬出、収納を命令する。ルータまたはモデム２７は各寺院とセンタとの間のインターネット回線を経由するためインターネットに接続するためのルータまたはモデムである。寺院ターミナル２４は、寺院内もしくは寺院を直接管理する事務所などに設置しその寺院に収容されている契約者情報、入金状況、葬儀法要情報などを閲覧、管理するための端末である。設置寺院と住職の自宅などが離れている場合を想定し寺院ターミナル２のみでインターネットに接続するような構成になっている。
【００３６】
図８に参拝ブース６での動作フローを示す。受付はＩＤカードがある場合と、ない場合に分かれる。
【００３７】
ある場合は、参拝者はＩＤカードをＩＤカードリーダ１６にかけると、該当データの詳細が調べられ、カードがある人であると決定すると、「参拝の準備をしております」とのメッセージが出され、厨子７が収納ラック４から自動で取り出り出されてして参拝ブース６まで運ばれ墓石９に収められる。参拝者がＩＤカードもしくはタッチパネル１７にて認証を行って参拝開始になるとブースターミナル１８から寺院サーバ２へＩＤ情報と厨子搬送要求（収納ラック４から参拝ブース６へ）が送られ、寺院サーバ２はＩＤ情報から厨子７のラック番号（収納ラック４にそれぞれ識別番号がついている）を引きラックコントロールサーバ２９へ厨子７の搬送要求（収納ラック４から参拝ブース６へ）を出す。
【００３８】
「参拝の用意が出来ました」のメッセージがながれ、自動ドア１４が開き、参拝中となる。
【００３９】
カードなしの場合には、タッチパネル１７で、故人の名前で検索、施主の名前で検索、電話番号で検索の方法が選択でき、データがある場合は前記カードありの場合と同じく該当データの詳細が検討される。
【００４０】
該当データの詳細がない場合には、参拝者の名前の登録が行われ、郵便番号の登録が行われ、郵便番号から住所の途中までの検索がなされ、住所の続きの登録が行われ、電話番号の登録が行われ、入力内容の確認がなされてから、前記カードありの場合と同じく、「参拝の用意が出来ました」のメッセージがながれ、自動ドア１４が開き、参拝中となる。参拝者が参拝終了（参拝中タッチパネル１７に参拝終了ボタンを表示）にするとブースターミナル１８から寺院サーバ２へＩＤ情報と厨子搬送要求（参拝ブース６から収納ラック４へ）が送られ、寺院サーバ２はＩＤ情報から厨子７のラック番号を引きラックコントロールサーバ２９へ厨子７の搬送要求（ブースからラックへ）を出す。
【００４１】
図７はセンタサーバ３の装置環境を示すもので、このセンタはこのセンタサーバ３の他にＷｅｂサーバ３ａ、ＶＯＤストレージ３ｂ、ルータ２５、プリンタ２８、センターターミナル３０、カードリーダライタ３１、スキャナ３２を備える。
【００４２】
図９にセンタサーバ３と寺院サーバ２との関係を示す。本発明では、センタサーバ３を置くことによりインターネットを介したユーザからのアクセス（ネット参拝や転居などの登録情報変更）を一元管理することが可能になり、遺骨収納厨子７の転居も可能になる。
【００４３】
この転居については、図９に示すように、センタサーバ３側で移転処理を行なうとセンタサーバ３のデータベース上の寺院コードが変更され、同時に移転元寺院の寺院サーバ２へデータ削除指示がなされ、移転先寺院の寺院サーバへ登録指示が送られる。
【００４４】
寺院サーバ２内のデータが削除されるのは厨子７を運び出した後取り出し完了を寺院サーバ２へ寺院ターミナル２４もしくはブースターミナル１８より知らせることにより行われる。
【００４５】
厨子７の移動はセンタより運送業者を手配し、移転元寺院より移転先寺院へ運搬する。
【００４６】
センタサーバ３があるセンタ側の作業フローを図１３に示す。契約処理時には、契約者情報の登録が行われ、ＩＤカードを発行する。このＩＤカードは発送される。
【００４７】
日次処理としては、前記のごとく転居依頼がある場合には、寺院および運送会社へ移転作業依頼を行い、ＩＤカードを発行し、このＩＤカードは発送される。
【００４８】
葬儀、回忌の依頼があった場合には寺院へ葬儀、回忌の依頼を行い、葬儀、回忌の案内状を発送する。
【００４９】
月次処理として、集金代行入金の確認を行い、振込みを行なう。
【００５０】
次にインターネット（Ｗｅｂ）参拝について説明する。Ｗｅｂサーバによりインターネットを介した参拝が可能である。寺院もしくはセンタにＷｅｂサーバを置きユーザのデータとリンクすることによりＷｅｂ参拝を実現する。葬式が行なわれる際、ネット上で参拝が可能である。また、参拝ブース６の参拝の様子などをＷｅｂ上で配信、法要などに遠隔から参列することが可能になる。
【００５１】
インターネット管理の契約者側のフローを図１４に、Ｗｅｂ参拝のフローを図１５に示す。
【００５２】
先に述べたように、檀家・遺族１９や親戚・縁者・友人・知人など２０は端末パソコン１９ａ，２０ａ、携帯端末１９ｂ，２０ｂを有するものであり、これらを介してインターネット（Ｗｅｂ）アクセスが可能である。
【００５３】
図１５に示すように、ログインが出来ると、参拝画面になり、１．献花、焼香、２．香典、３．映像選択、４．参拝終了のメニューのいずれかから選択する。
【００５４】
１．献花、焼香は有料のものと無料のものがあり、無料のものは画面上に表示されるだけの簡易なものである。有料のものは実際にそのサービスが実行されるが、カードによる入金を必要とし、カード決済などで料金を支払うと後日寺院担当者が実際に献花、焼香を行なう。２．香典を選択した場合には、同様にカード決済で、香典、献花等を行なう事が出来、決済された金額は喪主へ支払われる。また、葬式を行なった後でも、現地に行かなくても参拝をし、香典を送ることが可能である。
【００５５】
３．映像選択のメニューを選択した場合、閲覧できる映像一覧が画面にでて、映像選択を行い、映像が表示される。お盆など、お墓参りに行けない人の為に、インターネット上で墓参する事が可能である。なお、映像はカメラを寺院サーバ２に接続して撮影の配信を行なう。
【００５６】
さらに、このインターネット（Ｗｅｂ）参拝は、葬儀についても同様に利用することができる。
【００５７】
４９日や三回忌等の連絡を管理画面のユーザの連絡先リストに登録し、案内を送ることが可能である。
【００５８】
図１４に示すように、ログインが出来ると、管理画面になり、１．登録情報確認変更、住所録確認変更、２．参拝履歴確認、３．予約、４．移転手続き、５．終了のメニューから選択を行なう。
【００５９】
１．登録情報確認変更、住所録確認変更を選択した場合には、データベースより情報が引き出されて登録情報画面、住所録画面となり、変更の作業が可能となる。
【００６０】
２．参拝履歴確認を選択した場合は参拝履歴がデータベースより参拝履歴が引き出され、３．予約を選択した場合はデータベースより予約情報が引き出され、予約可能一覧が表示され、予約日選択が可能となり、４．移転手続きを選択した場合はデータベースより移転情報が引き出され、移転申し込み画面となり、移転先の登録が可能となる。「４．移転手続」は図９に示す遺骨収納厨子７の転居の場合である。
【００６１】
このように、本発明では、管理会社で、檀家の登録、カードの発行を行なうことで、寺院で檀家管理をする必要がない。遺影の取り込み、参拝時の画像の加工も管理会社で行なう。年会費等の回収も管理会社で行い、収納管理の手間がかからない。次月の三回忌の檀家一覧など、各種帳票が簡単に出せ、檀家への連絡（郵送）についても管理会社で発送をする。このように、檀家の管理、収納管理等を管理会社で代行して行なうので、寺院側の手間を省くことが可能である。
【図面の簡単な説明】
【００６２】
【図１】本発明の墓参システムの１実施形態を示す説明図である。
【図２】本発明の墓参システムの参拝ブースの正面図である。
【図３】本発明の墓参システムの参拝ブースの側面図である。
【図４】収納ラック設置部分の平面図である。
【図５】収納ラック設置部分の側面図である。
【図６】寺院システムの寺院サーバの装置環境を示す説明図である。
【図７】センタサーバの装置環境を示す説明図である。
【図８】参拝ブースでの動作フロー図である。
【図９】センタサーバと寺院サーバの関係の動作フロー図である。
【図１０】厨子の正面図である。
【図１１】厨子の蓋を除いた状態の平面図である。
【図１２】厨子の蓋の平面図である。
【図１３】センタの作業を示すフロー図である。
【図１４】インターネット管理の契約者側のフロー図である。
【図１５】インターネット参拝のフロー図である。
【符号の説明】
【００６３】
１…寺院システム                      ２…寺院サーバ
３…センタサーバ                      ３ａ…Ｗｅｂサーバ
３ｂ…ＶＯＤストレージ                ４…収納ラック
５…ディスプレー                      ６…参拝ブース
７…厨子                              ７ａ…ふた
８…石版                              ９…墓石
９ａ…窓部                            １０…花立
１１…棚                              １２…引き出し
１３…エンジンボックス                １４…自動ドア
１５…カウンター                      １６…カードリーダ
１７…タッチパネル                    １８…ブースターミナル
１９…檀家・遺族                      １９ａ，２０ａ…端末パソコン
１９ｂ，２０ｂ…携帯端末              ２０…親戚・縁者・友人・知人など
２１，２２，２３…ベルトコンベア
２４…寺院ターミナル                  ２５…ルータ
２６…ＶＯＤストレージ                ２７…ルータまたはモデム
２８…プリンタ                        ２９…ラックコントロールサーバ
３０…センターターミナル              ３１…カードリーダライタ
３２…スキャナ
【図１】
2007262709.tif 000003
【図２】
2007262709.tif 000004
【図３】
2007262709.tif 000005
【図４】
2007262709.tif 000006
【図５】
2007262709.tif 000007
【図６】
2007262709.tif 000008
【図７】
2007262709.tif 000009
【図８】
2007262709.tif 000010
【図９】
2007262709.tif 000011
【図１０】
2007262709.tif 000012
【図１１】
2007262709.tif 000013
【図１２】
2007262709.tif 000014
【図１３】
2007262709.tif 000015
【図１４】
2007262709.tif 000016
【図１５】
2007262709.tif 000017